【手続補正書】
【提出日】平成22年7月13日(2010.7.13)
【手続補正１】
【補正対象書類名】特許請求の範囲
【補正対象項目名】全文
【補正方法】変更
【補正の内容】
【特許請求の範囲】
【請求項１】
データベースに格納されたファイルの版数を管理するサーバと通信可能なファイル送信装置であって、
複数のファイルの送信先の一覧を保存する保存手段と、
前記一覧から、ユーザにより選択された送信先に対するファイル送信指示を受け付ける受付手段と、
前記受付手段によって受け付けたファイル送信指示に応じた送信先のパス情報により特定されるファイルを前記ユーザから読み出し又は書き込み可能な状態にするチェックアウト要求を前記サーバに対して行い、前記チェックアウト要求により前記ユーザから読み出し又は書き込み可能な状態にされたファイルを、画像入力デバイスから入力されたファイルで更新するためのチェックイン要求を前記サーバに対して行い、前記データベースに格納された該ファイルを前記画像入力デバイスから入力されたファイルで更新する更新登録手段と
を備えることを特徴とするファイル送信装置。
【請求項２】
前記ファイル送信装置は、前記サーバとＷｅｂＤＡＶプロトコルで通信することを特徴とする請求項１に記載のファイル送信装置。
【請求項３】
前記データベースに新たにファイルを登録する場合に、
前記画像入力デバイスから入力されたファイルを前記データベースに新たに格納するためのチェックイン要求を前記サーバに対して行い、前記画像入力デバイスから入力されたファイルを前記データベースに新たに登録する新規登録手段をさらに備えることを特徴とする請求項１又は２に記載のファイル送信装置。
【請求項４】
前記新規登録手段により、前記画像入力デバイスから入力されたファイルを前記データベースに新たに登録すると、該ファイルのパス情報を新たな送信先として、前記一覧に登録する送信先登録手段をさらに備えることを特徴とする請求項３に記載のファイル送信装置。
【請求項５】
前記送信先登録手段は、前記新規登録手段により、前記画像入力デバイスから入力されたファイルを前記データベースに新たに登録すると、該ファイルのパス情報を新たな送信先として、前記一覧に自動的に登録するか否かを設定する設定手段をさらに備え、
前記送信先登録手段は、前記設定手段により前記一覧に自動的に登録すると設定されている場合に、前記新規登録手段により前記画像入力デバイスから入力されたファイルを前記データベースに新たに登録すると、該ファイルのパス情報を新たな送信先として、前記一覧に登録することを特徴とする請求項４に記載のファイル送信装置。
【請求項６】
前記更新登録手段または前記新規登録手段による登録の履歴情報を保存する履歴登録手段を更に備え、
前記送信先登録手段は、前記履歴登録手段により保存された履歴情報の中からユーザにより選択された送信先を、前記一覧に登録することを特徴とする請求項４に記載のファイル送信装置。
【請求項７】
前記ファイル送信装置が、前記画像入力デバイスを含む複合機能デバイスであることを特徴とする請求項１乃至６に記載のファイル送信装置。
【請求項８】
データベースに格納されたファイルの版数を管理するサーバと通信可能なファイル送信装置において実行されるファイル送信方法であって、
前記ファイル送信装置の保存手段が、複数のファイルの送信先の一覧を保存する保存工程と、
前記ファイル送信装置の受付手段が、前記一覧から、ユーザにより選択された送信先に対するファイル送信指示を受け付ける受付工程と、
前記ファイル送信装置の更新登録手段が、前記受付工程において受け付けたファイル送信指示に応じた送信先のパス情報により特定されるファイルを前記ユーザから読み出し又は書き込み可能な状態にするチェックアウト要求を前記サーバに対して行い、前記チェックアウト要求により前記ユーザから読み出し又は書き込み可能な状態にされたファイルを、画像入力デバイスから入力されたファイルで更新するためのチェックイン要求を前記サーバに対して行い、前記データベースに格納された該ファイルを前記画像入力デバイスから入力されたファイルで更新する更新登録工程と
を備えることを特徴とするファイル送信方法。
【請求項９】
前記ファイル送信装置は、前記サーバとＷｅｂＤＡＶプロトコルで通信することを特徴とする請求項８に記載のファイル送信方法。
【請求項１０】
前記データベースに新たにファイルを登録する場合に、
前記ファイル送信装置の新規登録手段が、前記画像入力デバイスから入力されたファイルを前記データベースに新たに格納するためのチェックイン要求を前記サーバに対して行い、前記画像入力デバイスから入力されたファイルを前記データベースに新たに登録する新規登録工程をさらに備えることを特徴とする請求項８又は９に記載のファイル送信方法。
【請求項１１】
前記新規登録工程において、前記画像入力デバイスから入力されたファイルを前記データベースに新たに登録すると、該ファイルのパス情報を新たな送信先として、前記一覧に登録する送信先登録工程をさらに備えることを特徴とする請求項１０に記載のファイル送信方法。
【請求項１２】
前記送信先登録工程は、前記新規登録工程において、前記画像入力デバイスから入力されたファイルを前記データベースに新たに登録すると、該ファイルのパス情報を新たな送信先として、前記一覧に自動的に登録するか否かを設定する設定工程をさらに備え、
前記送信先登録工程は、前記設定工程において前記一覧に自動的に登録すると設定されている場合に、前記新規登録工程において前記画像入力デバイスから入力されたファイルを前記データベースに新たに登録すると、該ファイルのパス情報を新たな送信先として、前記一覧に登録することを特徴とする請求項１１に記載のファイル送信方法。
【請求項１３】
前記更新登録工程または前記新規登録工程における登録の履歴情報を保存する履歴登録工程を更に備え、
前記送信先登録工程は、前記履歴登録工程において保存された履歴情報の中からユーザにより選択された送信先を、前記一覧に登録することを特徴とする請求項１１に記載のファイル送信方法。
【請求項１４】
前記ファイル送信装置が、前記画像入力デバイスを含む複合機能デバイスであることを特徴とする請求項８乃至１３に記載のファイル送信方法。
【請求項１５】
請求項８乃至１４のいずれか１項に記載のファイル送信方法の各工程をコンピュータに実行させるためのプログラム。
【手続補正２】
【補正対象書類名】明細書
【補正対象項目名】０００７
【補正方法】変更
【補正の内容】
【０００７】
上記課題を解決するため、本発明に係るファイル送信装置は、データベースに格納されたファイルの版数を管理するサーバと通信可能なファイル送信装置であって、
複数のファイルの送信先の一覧を保存する保存手段と、
前記一覧から、ユーザにより選択された送信先に対するファイル送信指示を受け付ける受付手段と、
前記受付手段によって受け付けたファイル送信指示に応じた送信先のパス情報により特定されるファイルを前記ユーザから読み出し又は書き込み可能な状態にするチェックアウト要求を前記サーバに対して行い、前記チェックアウト要求により前記ユーザから読み出し又は書き込み可能な状態にされたファイルを、画像入力デバイスから入力されたファイルで更新するためのチェックイン要求を前記サーバに対して行い、前記データベースに格納された該ファイルを前記画像入力デバイスから入力されたファイルで更新する更新登録手段とを備える。
【手続補正３】
【補正対象書類名】明細書
【補正対象項目名】発明の名称
【補正方法】変更
【補正の内容】
【発明の名称】ファイル送信装置、方法、プログラム